(57)【要約】  【課題】騒音の減少化を図るとともに、故障を少なくし、メンテナンスを容易にする。【解決手段】基準レベルＬ0の吸排駆動液Ｗが充填され、液面レベルの変化により吸排気する複数のシリンダであって、底壁Ｂには液出入孔１５ａ，１６ａが設けられ、天壁Ｆには吸排切替室４６，４７が設けられている一対のシリンダ15、１６と；前記各シリンダの液出入孔１５ａ，１６ａを連通せしめる連結室２０と；前記連結室２０に設けられた回転羽根３８であって、排気する側のシリンダ内に、吸気する側のシリンダ内の前記吸排駆動液Ｗを送り込んで液面レベルを変化させる回転羽根３８と；前記回転羽根３８の駆動モータ３４を制御し、前記各シリンダ１５，１６の吸気と排気を交互に繰り返させる制御手段４２と；を備えている。【選択図】  図１
0003130927.tif 000002
【実用新案登録請求の範囲】
【請求項１】
被吸引物の受具に連通する貯留タンクと、該貯留タンク内を減圧させる空気吸引手段と、を備えた介護医療用吸引装置において；
前記空気吸引手段は、
所定量の吸排駆動液が充填され、液面レベルの変化により吸排気する複数のシリンダであって、底壁には液出入孔が設けられ、天壁側には排気時に排出管に連通させ、吸気時に前記貯留タンクに連通させる吸排切替室が設けられている複数のシリンダと，
前記各シリンダの液出入孔を互いに連通せしめる連結室と，
前記連結室に設けられ、排気する側のシリンダ内に、吸気する側のシリンダ内の前記吸排駆動液を送り込んで前記液面レベルを変化させる回転羽根と，
前記回転羽根の駆動モータを制御し、前記各シリンダの吸排気を繰り返させる制御手段と，
を備えていることを特徴とする介護医療用吸引装置。
【請求項２】
被吸引物の受具に連通する貯留タンクと、該貯留タンク内を減圧させる空気吸引手段と、を備えた介護医療用吸引装置において；
前記空気吸引手段は、
所定量の吸排駆動液が充填され、液面レベルの変化により吸排気する複数のシリンダであって、底壁には液出入孔が設けられ、天壁側には排気時に排出管に連通させ、吸気時に前記貯留タンクに連通させる吸排切替室が設けられている複数のシリンダと、
前記各シリンダの液出入孔を互いに連通せしめる連結室と，
前記連結室に設けられ、前記吸排駆動液の流れ方向を規制する切替弁手段と、
前記連結室に設けられた単数の回転羽根であって、排気する側のシリンダ内に、吸気する側のシリンダ内の前記排駆動液を前記切替弁手段を介して送り込んで前記液面レベルを変化させる回転羽根と、
前記回転羽根の駆動モータと前記切替弁手段を制御し、前記各シリンダの吸排気を繰り返させる制御手段と、
を備えていることを特徴とする介護医療用吸引装置。
【請求項３】
被吸引物の受具に連通する貯留タンクと、該貯留タンク内を減圧させる空気吸引手段と、を備えた介護医療用吸引装置において；
前記空気吸引手段は、
所定量の吸排駆動液が充填され、液面レベルの変化により吸排気する複数のシリンダであって、底壁には液出入孔が設けられ、天壁側には排気時に排出管に連通させ、吸気時に前記貯留タンクに連通させる給排切替室が設けられている複数のシリンダと、
前記各シリンダの液出入孔を互いに連通せしめる連結室と，
前記連結室内に設けられ、前記各底壁の液出入孔に対応してそれぞれ設けられた複数の回転羽根であって、排気する側のシリンダ内に、吸気する側のシリンダ内の前記排駆動液を送り込んで前記液面レベルを変化させる回転羽根と、
前記各回転羽根の駆動モータを制御し、前記各シリンダの吸排気を繰り返させる制御手段と、
を備えていることを特徴とする介護医療用吸引装置。
【請求項４】
前記各シリンダ内に液面センサが設けられ、該液面センサの検知出力は前記制御手段に送出されることを特徴とする請求項１，２，又は、３記載の介護医療用吸引装置。
【請求項５】
前記吸排切替室が、吸気用弁を有する吸気部と、排気用弁を有する排気部とから構成されていることを特徴とする請求項１，２、又は、３記載の介護医療用吸引装置。
【請求項６】
前記切替弁手段が、弁棒が貫通している弁室と、該弁棒に固定されている左右一対の弁体と、該弁体が着座する内側弁座と外側弁座と、該弁室の底部中央に設けられた液出口と、前記弁棒を摺動させる弁用モータと、を備えていることを特徴とする請求項２記載の介護医療用吸引装置。
【考案の詳細な説明】
【技術分野】
【０００１】
この考案は、介護や医療等の分野で用いられる吸引装置に関するものであり、更に述べると、介護を要する人等の尿、痰、喉の詰り物などの吸引や、歯の治療中に患者の口内に発生する唾液の吸引などを行なうための、介護医療用吸引装置に関するものである。
【背景技術】
【０００２】
寝たきりの病人或いは足の不自由な人などは、尿意をもよおしたときにベットから降りてトイレに行くのは困難である。そこで、ベッドの上で用を足すことができるようにするため、尿の自動吸引装置（自動採尿装置）が開発されている。
【０００３】
この自動採尿器は、受尿器と尿タンクとを吸引ホースを介して連結すると共に、前記尿タンクと吸引手段とを吸引チューブを介して接続し、前記吸引手段により吸引チューブを通じて尿タンク内の空気を吸引することで、排尿を前記受尿器から尿タンク内に吸引採集している。この吸引手段の駆動源としてピストンポンプやダイヤフラムポンプ（例えば、特許文献１、参照）が用いられている。
【０００４】
【特許文献１】特開平２００６−１３００２３号公報
【考案の開示】
【考案が解決しようとする課題】
【０００５】
従来例では、吸引手段の駆動源として、前述のように、ピストンポンプやダイヤフラムポンプを使用しているので、駆動騒音が大きい。そのため、深夜等に自動採尿器を使用すると、近傍の人々の迷惑となる。
【０００６】
又、定期的に前記駆動源をメンテナンスしなければならないが、分解したり、洗浄したり、部品交換等したする作業は、手が汚れ作業者に嫌われると共に、時間がかかるので、面倒である。
【０００７】
更に、前記駆動源内に尿成分などの異物が吸引されると、ピストンポンプでは潤滑油の劣化が発生し、又、ダイヤフラムポンプでは、ダイヤフラムの変質が発生し、故障の原因となることがある。
【０００８】
この考案は、上記事情に鑑み、駆動騒音の減少化を図ることを目的とする。他の目的は、故障を少なくすると共に、メンテナンスの容易化を図ることである。
【課題を解決するための手段】
【０００９】
この考案は、被吸引物の受具に連通する貯留タンクと、該貯留タンク内を減圧させる空気吸引手段と、を備えた介護医療用吸引装置において；前記空気吸引手段は、所定量の吸排駆動液が充填され、液面レベルの変化により吸排気する複数のシリンダであって、底壁には液出入孔が設けられ、天壁側には排気時に排出管に連通させ、吸気時に前記貯留タンクに連通させる吸排切替室が設けられている複数のシリンダと，前記各シリンダの液出入孔を互いに連通せしめる連結室と，前記連結室に設けられ、排気する側のシリンダ内に、吸気する側のシリンダ内の前記吸排駆動液を送り込んで前記液面レベルを変化させる回転羽根と，前記回転羽根の駆動モータを制御し、前記各シリンダの吸排気を繰り返させる制御手段と，を備えていることを特徴とする。
【００１０】
この考案は、被吸引物の受具に連通する貯留タンクと、該貯留タンク内を減圧させる空気吸引手段と、を備えた介護医療用吸引装置において；前記空気吸引手段は、所定量の吸排駆動液が充填され、液面レベルの変化により吸排気する複数のシリンダであって、底壁には液出入孔が設けられ、天壁側には排気時に排出管に連通させ、吸気時に前記貯留タンクに連通させる吸排切替室が設けられている複数のシリンダと、前記各シリンダの液出入孔を互いに連通せしめる連結室と，前記連結室に設けられ、前記吸排駆動液の流れ方向を規制する切替弁手段と、前記連結室に設けられた単数の回転羽根であって、排気する側のシリンダ内に、吸気する側のシリンダ内の前記排駆動液を前記切替弁手段を介して送り込んで前記液面レベルを変化させる回転羽根と、前記回転羽根の駆動モータと前記切替弁手段を制御し、前記各シリンダの吸排気を繰り返させる制御手段と、を備えていることを特徴とする。
【００１１】
この考案は、被吸引物の受具に連通する貯留タンクと、該貯留タンク内を減圧させる空気吸引手段と、を備えた介護医療用吸引装置において；前記空気吸引手段は、所定量の吸排駆動液が充填され、液面レベルの変化により吸排気する複数のシリンダであって、底壁には液出入孔が設けられ、天壁側には排気時に排出管に連通させ、吸気時に前記貯留タンクに連通させる給排切替室が設けられている複数のシリンダと、前記各シリンダの液出入孔を互いに連通せしめる連結室と，前記連結室内に設けられ、前記各底壁の液出入孔に対応してそれぞれ設けられた複数の回転羽根であって、排気する側のシリンダ内に、吸気する側のシリンダ内の前記排駆動液を送り込んで前記液面レベルを変化させる回転羽根と、前記各回転羽根の駆動モータを制御し、前記各シリンダの吸排気を繰り返させる制御手段と、を備えていることを特徴とする。
【００１２】
この考案の前記各シリンダ内に液面センサが設けられ、該液面センサの検知出力は前記制御手段に送出されることを特徴とする。この考案の前記吸排切替室が、吸気用弁を有する吸気部と、排気用弁を有する排気部とから構成されていることを特徴とする。この考案の前記切替弁手段が、弁棒が貫通している弁室と、該弁棒に固定されている左右一対の弁体と、該弁体が着座する内側弁座と外側弁座と、該弁室の底部中央に設けられた液出口と、前記弁棒を摺動させる弁用モータと、を備えていることを特徴とする。
【考案の効果】
【００１３】
この考案は、以上のように構成したので、前記制御手段の操作により回転羽根を駆動させることにより、各シリンダに対する吸排駆動液の送入、排出を繰り返す。そうすると、該シリンダの液面レベルが変化し、該各シリンダは吸気と排気を繰り返す。そのため、被吸引物の貯留タンク内は減圧され負圧となるので、被吸引物の受具から被吸引物を吸引することができる。
【００１４】
この時、前記回転羽根は吸排駆動液中に位置するとともに、該回転羽根の駆動モータは小型で足りるので、従来例に比べ、騒音は小さなものとなる。従って、例えば、深夜等に本件考案の介護医療用吸引装置を使用しても、他人の迷惑となることがないので、安心して使用することができる。
【００１５】
本件考案は、従来例に比べ、構造が単純なので、故障が少ない上、メンテナンス作業は、主として、シリンダ内の吸排駆動液の交換を行なえば良いので、簡単に、しかも短時間に行うことができる。
【考案を実施するための最良の形態】
【００１６】
この考案の第1実施の形態を図1〜図７により説明する。
被吸引物の貯留タンク、例えば、排尿を収集する尿タンク１は、３Ｌ〜４Ｌの容積を有する合成樹脂製のタンクである。この尿タンク１の天壁には、吸引ホース２と吸入管４の基端部が連結されている。前記吸引ホース２の自由端部には、被吸引物の受具、例えば、受尿器（図示省略）が連結されている。
【００１７】
シリンダ１５，１６は、両端が閉鎖されている円筒状体であり、左右一対設けられている。前記両シリンダ１５，１６は、同一容量、例えば、１Ｌ、であり、その中には、所定量の吸排駆動液Ｗ、例えば、０．５Ｌの水、が充填されているが、この時の液面レベルを、基準レベルＬ0とする。
【００１８】
前記シリンダ１５，１６の底壁Ｂには、液出入孔１５ａ、１６ａが設けられ、該液出入孔１５ａ、１６ａは切替弁手段１８を介して連結室２０に連通している。前記切替弁手段１８は、弁室１８ａと、該弁室１８aを水平方向に貫通する弁棒１８ｃと、該弁棒１８ｃに固定された左右一対の弁体１８ｂ、１８ｂと、該弁棒１８ｃを摺動させる弁用モータ２２と、を備えている。
【００１９】
前記弁室１８ａは、筒状体に形成され、その両端部には、外側弁座１８ｄと内側弁座１８ｅが一対ずつ設けられている。前記両弁座１８ｄ，１８ｅは前記液出入孔１５ａ，１６ａの下縁部に連続しており、且つ、間隔をおいて互いに対向して設けられている。弁室１８ａの底部中央には、液出口２４が設けられているが、この液出口２４の径は、前記液出入孔１５ａ，１６ａの直径と同一寸法に形成されている。なお、前記間隔及び液出口２４の大きさは、必要に応じて適宜選択される。
【００２０】
前記両弁体１８ｂ、１８ｂは、弁棒１８ｃに固定されているが、該両弁体１８ｂ、１８ｂは、一方の弁体１８ｂがシリンダ１５側の内側弁座１８ｅ、又は、外側弁座１８ｄに着座したときに、他方の弁体１８ｂがシリンダ１６側の反対側の弁座、即ち、外側弁座１８ｄ、又は、内側弁座１８ｅに着座できる様に、所定間隔をあけて配設されている。
【００２１】
前記弁棒１８ｃの一端部には、クランク機構の一部をなすクランク受け部２８ａが設けられている。前記受け部２８ａはクランク２８、クランクシャフト２９、回転制御機３０、減速機３１を介して弁用モータ２２に連結されている。
なお、前記受け部２８ａは、摺動板２６に当接しているが、この摺動板２６は連結室２０の側壁に固定されている。
【００２２】
前記両シリンダ１５，１６の間には、駆動モータ３４の回転軸３５が配設されている。前記回転軸３５の下端部は、弁室１８ａの液出口２４を貫通しており、その下端には、回転羽根３８が設けられている。この回転羽根３８は、弁室１８ａの底部と連結室２０の底部との間に、一個だけ設けられている。前記駆動モータ３４は、前記シリンダの天壁Ｆに固定されているが、このモータ３４は、小さな回転羽根を回転させるだけなので、小型のモータで十分である。
【００２３】
前記シリンダ１５，１６内の底壁Ｂ側には、液面センサ４０，４１が設けられている。この両液面センサ４０，４１は、前記シリンダ１５，１６内の吸排駆動液Ｗの残量を検出するものであり、前記底壁Ｂ側の所定位置に配設されているが、その位置は必要に応じて適宜選択することができる。この液面センサ４０，４１は、電源及びセンサ回路（「制御部」、ともいう）４２に接続されている。この制御部４２には、リモートスイッチコードを介して防水型のリモートスイッチ（図示省略）が接続されている。
【００２４】
シリンダ１５，１６の天壁Ｆには、吸排切替室４６，４７が設けられている。この切替室４６、４７には、排気用弁（逆止弁）４６ａ、４７ａを備えた排気部と、吸気用弁（逆止弁）４６ｂ、４７ｂを備えた吸気部とが設けられている。前記両シリンダ１５，１６の排気部は、排出管４８に連結され、又、その吸気部は吸入管４を介して前記尿タンク１の天壁に連結されている。
なお、シリンダ１５の天壁Ｆには、吸排駆動液Ｗを出し入れする液給排口４９が設けられている。
【００２５】
次に、本実施の形態の作動について説明する。
吸引装置の準備：
液給排口４９から所定量、例えば、１Ｌの吸排駆動液（水）Ｗを注入すると、前記給排駆動液Ｗの液面レベルは、下限レベルＬ1より上方に位置する、基準レベルＬ0（０．５Ｌ）となる。この時、液面レベルセンサ４０，４１は下限レベルＬ１上にあり、オフ状態を維持する（図１参照）。
電源コード５０のプラグは、交流電源（図示省略）に接続され、リモートスイッチは、オフ状態となっている。
【００２６】
吸引装置の使用：
ベットで寝ている人が、尿意をもよおすと、該ベット近傍のリモートスイッチを握り、スイッチオンにする。
前記制御部４２は、駆動モータ３４を駆動させて回転羽根３８を所定方向に回転させるので、吸気する側となるシリンダ１６内の吸排駆動液Ｗは、液出入孔１６ａ、内側弁座１８ｅ、液出口２４、連結室２０、シリンダ１５側の外側弁座１８ｄ、液出入口１５ａを通って、排気する側となるシリンダ１５内に送り込まれる。そのため、シリンダ１５の液面は基準レベルＬ0から次第に上昇すると同時に、他方のシリンダ１６の液面は基準レベルL0から次第に下降する（図２参照）。
【００２７】
前記シリンダ１５内の空気Ａは、吸排切替室４６の排気用弁４６ａを押しあけて排出管４８に流れ込み、機外に排出されると同時に、前記シリンダ１６には、尿タンク１内の空気Ａ１が、吸入管４、吸排切替室４７の吸気用弁４７ｂを通って吸引される。
【００２８】
前記シリンダ１６の液面が、下限レベルＬ1より下降すると、該シリンダ１６内の液面センサ４１が作動して検知信号を制御部４２に送出する。
この時点で、該シリンダ１６の吸気行程が終了するとともに、該シリンダ１６は排気する側のシリンダとなり、又、前記シリンダ１５は、吸気する側のシリンダとなる（図３参照）。
【００２９】
前記制御部４２は、弁用モータ２２を駆動させシャフト２９を所定方向に回転させるので、クランク機構が作動して弁棒１８ｃを所定距離摺動させる。そうすると、図４に示す様に、シリンダ１５側の弁体１８ｂは外側弁座１８ｄに着座し、又、シリンダ１６側の弁体１８ｂは内側弁座１８ｅに着座するので、前記吸排駆動液Ｗの流れ方向は切り替わる。
【００３０】
前記回転羽根３８は、継続して同方向に回転しているので、吸気する側となるシリンダ１５内の吸排駆動液Ｗは、液出入孔１５ａ、内側弁座１８ｅ、液出口２４、連結室２０、シリンダ１６側の外側弁座１８ｄ、液出入孔１６ａを通って、排気する側のシリンダ１６内に送り込まれる。そのため、シリンダ１６の液面は次第に上昇すると同時に、他方のシリンダ１５の液面は次第に下降する（図５参照）。
【００３１】
前記シリンダ１６内の空気Ａは、吸排切替室４７の排気用弁４７ａを押しあけて排出管４８に流れ込み、機外に排出されると同時に、前記シリンダ１５には、尿タンク１内の空気Ａ１が、吸入管４、吸排切替室４６の吸気用弁４６ｂを通って吸引される。
【００３２】
前記シリンダ１５の液面が、基準レベルＬ0になると、前記シリンダ１６の液面レベルも基準レベルＬ0となる（図６参照）。図７に示すように、前記シリンダ１５の液面が下降し、下限レベルＬ1以下になると、該シリンダ１５内の液面センサ４０が作動して検知信号を制御部４２に送出する。そうすると、前記制御部４２は、弁用モータ２２を駆動させシャフト２９を回転させるので、クランク機構が作動して弁棒１８ｃが前記と反対側に摺動する。そのため、前記両弁体１８ｂ、１８ｂは、図１に示す様に、元の弁座、即ち、シリンダ１５側の弁体１８ｂは内側弁座１８eに、又、シリンダ１６側の弁体１８ｂは外側弁座１８ｄに着座するので、前記吸排駆動液Ｗの流れ方向は切り替えられる。
【００３３】
このようにして、両シリンダ１５，１６の吸気と排気を交互に繰り返すことにより、尿タンク１内の空気は吸引され続ける。そのため、該尿タンク１内は減圧され負圧状態となるので、吸引ホース２の自由端に設けた受尿器から被吸引物である排尿を吸引し、尿タンク１内に収集することができる。
【００３４】
排尿が終わった後は、リモートスイッチをオフにし、該スイッチを元の位置に戻しておく。
【００３５】
メンテナンス時には、シリンダ１５の液給排口４９から吸排駆動液Ｗを排出させて該シリンダ１５，１６内を空にした後、新しい給排駆動液、例えば、水、を注入し、液面を基準レベルL0（停止時の設定液面レベル）にする。このように手等を汚さずに、簡単にメンテナンスすることができる。
【００３６】
前記駆動モータ３４は、回転羽根３８を回転できる小馬力のモータで足りるので、モータの回転音（騒音）も殆ど気にならない程、小さい。また、回転羽根３８は、吸排駆動液W中に配設されているので、回転羽根の回転音は前記吸排駆動液Wにより吸収される。
【００３７】
この考案の第2実施の形態を図８により説明するが、図1と同一図面符号は、その名称も機能も同一である。
この実施例と第1実施の形態との相違点は、次の通りである。
（１）吸入管４と吸引ホース２の基端部を接続筒５２に固定し、該接続筒５２を尿タンク１の出入口５４に連結し、着脱ジョイント５６で固定したこと。
【００３８】
この接続筒５２は、吸引ホース２に連通する排尿吸引室５８と、吸入管４に連通する空気吸入室６０とを備えている。前記排尿吸引室５８には逆止弁６２と、前記吸入室６０の中央部を貫通する導入管６４が設けられている。
【００３９】
なお、６７は吸引ホース２の自由端に固定された受尿器（被吸引物の受具）、６８は電源及びセンサ回路（制御部）４２のリモートスイッチ、をそれぞれ示す。
【００４０】
（２）排出管４８に消臭器７０を設け、シリンダ１５，１６から排出される空気を脱臭した後に、大気開放していること。
（３）電源及びセンサ回路（制御部）４２が連結室２０の下方に配設されていること。
【００４１】
この実施の形態では、着脱ジョイント５６を回転させることにより、尿タンク１と接続筒５２とを締付固定したり、又は、それを解除したりするとができる。
【００４２】
この考案の第３実施の形態を図９により説明するが、図１と同一図面符号はその名称も機能も同一である。
この実施の形態と第２実施の形態との相違点は、次の通りである。
（１）連結室２０内に配設されている回転羽根が、単数の代わりに複数配設されていること。即ち、回転羽根３８Ａ、３８Ｂは、シリンダ１５，１６の底壁の液出入孔１５ａ，１６ａに対向してそれぞれ配設され、両回転羽根３８Ａ、３８Ｂは前記液出入口１５ａ，１６ａを貫通する回転軸３５、３５を介してそれぞれ別個独立の駆動モータ３４Ａ、３４Ｂにそれぞれ連結されていること。
なお、本実施の形態では、切替弁手段及び弁用モータは省略されている。
【００４３】
（２）吸排切替室４６Ａ、４７Ａは、シリンダ１５，１６の天壁Ｆに設ける代わりに、該天壁Ｆから離れた位置に設けられており、吸排気管７２Ａ，７２Ｂを介して前記天壁Ｆに連通していること。
【００４４】
この実施の形態では、リモートスイッチ６８をオンにすると、前記制御部４２は、駆動モータ３４Ａを駆動させてシリンダ１５側の回転羽根３８Ａを所定方向に回転させるので、吸気する側のシリンダ１６内の吸排駆動液Ｗは、液出入孔１６ａ、連結室２０、液出入孔１５ａを通って、排気する側のシリンダ１５内に送り込まれる。そのため、シリンダ１５の液面は、基準レベルＬ0から次第に上昇すると同時に、他方のシリンダ１６の液面は基準レベルＬ0から次第に下降する。
【００４５】
そうすると、前記シリンダ１５内の空気Ａは、吸排気管７２Ａ、吸排切替室４６Ａの排気用弁（逆止弁）４６ａ，排出管４８、消臭器７０を通って機外に排出されると共に、前記シリンダ１６には、尿タンク１内の空気A1が、吸入管４、吸排切替室４７Aの吸気用弁（逆止弁）４７ｂ、給排気管７２Bを通って吸入される。
【００４６】
そして、シリンダ１６の液面が更に低下し、下限レベルＬ1以下になると、液面センサ４１が作動して検知信号を制御部４２に送出する。
【００４７】
この時点で、該シリンダ１６の吸気行程が終了するとともに、該シリンダ１６は排気する側のシリンダとなり、又、前記シリンダ１５は、吸気する側のシリンダとなる。
【００４８】
そうすると、制御部４２は、駆動モータ３４Aを停止させると共に、駆動モータ３４Bを駆動させ回転羽根３８Bを所定方向に回転させるので、シリンダ１５内の給排駆動液Ｗは、液出入孔１５ａ、連結室２０、液出入孔１６ａを通ってシリンダ１６内に送り込まれる。そのため、シリンダ１６の液面は下限レベルL1未満から次第に上昇すると同時に、シリンダ１５の液面レベルは下降する。
【００４９】
そうすると、前記シリンダ１６内の空気は、吸排気管７２B、吸排切替室４７Aの排気用弁（逆止弁）４７ａ，排出管４８、消臭器７０を通って機外に排気されると共に、前記シリンダ１５には、尿タンク１内の空気が、吸入管４、吸排切替室４６Aの吸気用弁（逆止弁）４６ｂ、給排気管７２Aを通って吸入される。
【００５０】
このようにして、両シリンダ１５，１６の吸気と排気を交互に繰り返すことにより、尿タンク１内の空気は吸引され続ける。そのため、該尿タンク１内は減圧され負圧状態となるので、吸引ホース２の自由端に設けた受尿器６７から被吸引物である排尿を吸引し、尿タンク１内に収集することができる。
【００５１】
この考案の実施の形態は、前記に限定されるものではなく、例えば、次の様にしても良い。
（１）回転羽根を一個用いる場合、前記第1及び第2実施の形態における弁切替手段１８を省略し、該一個の回転羽根を正逆転させることにより、吸排駆動液の流れ方向を規制することも可能である。例えば、一方のシリンダ１５に送液する場合には、該回転羽を正転させ、又、他方のシリンダ１６に送液する場合には、該回転羽根を逆転させるようにしてもよい。
【００５２】
（２）シリンダを３本配設し、各シリンダを連結室を介して連通させ、各シリンダの底部の液出入孔に対向させて回転羽根をそれぞれ設けても良い。この場合には、第1の回転羽根を回転させて第1のシリンダに吸排駆動液を送液して排気させ、吸気中の第2のシリンダの液面センサが下限レベルを検出する少し前に、第3の回転羽根を回転させて第3のシリンダの排液を行なわせて吸気を開始させる。このようにすると、第2のシリンダが吸気を完了した時点において、第3のシリンダが吸気を行なっているので、尿タンクからの吸気は、一時たりとも停止することなく、連続して行なうことができる。
【００５３】
（３）前記制御手段は、シリンダ内に配設された液面センサの検知出力により前記回転羽根の駆動モータを制御するが、必ずしも液面センサを用いる必要はなく、例えば、シリンダの排気行程又は吸気行程が完了するまでにかかる基準時間を決め、この基準時間に基づいて吸排行程を繰り返えす様に設定することも可能である。
【００５４】
（４）この考案にかかる介護医療用吸引装置は、排尿の吸引のみならず、痰、喉の詰り物の吸引、歯科治療中の口内に発生する唾液等の吸引、などに広く利用できることは勿論である。
【図面の簡単な説明】
【００５５】
【図１】本考案の第1実施の形態を示す縦断面図である。
【図２】他の状態を示す縦断面図である。
【図３】他の状態を示す縦断面図である。
【図４】他の状態を示す縦断面図である。
【図５】他の状態を示す縦断面図である。
【図６】他の状態を示す縦断面図である。
【図７】他の状態を示す縦断面図である。
【図８】本考案の第２実施の形態を示す縦断面図である。
【図９】本考案の第３実施の形態を示す縦断面図である。
【符号の説明】
【００５６】
１      尿タンク
２      吸引ホース
１５    シリンダ
１５ａ  液出入孔
１６    シリンダ
１６ａ  液出入孔
１８    切替弁手段
２０    連結室
２２    弁用モータ
２４    液出口
３４    駆動モータ
３８    回転羽根
４０    液面センサ
４１    液面センサ
４２    電源及びセンサ回路
４６    吸排切替室
４７    吸排切替室
４８    排出管
【図１】
0003130927.tif 000003
【図２】
0003130927.tif 000004
【図３】
0003130927.tif 000005
【図４】
0003130927.tif 000006
【図５】
0003130927.tif 000007
【図６】
0003130927.tif 000008
【図７】
0003130927.tif 000009
【図８】
0003130927.tif 000010
【図９】
0003130927.tif 000011